(57)【要約】【課題】  フッキング率を向上させたオフセットタイプのスイムジグを提供する。【解決手段】  スイムジグは、ジグヘッドと、前記ジグヘッドの先端部に設けられたラインアイと、前記ジグヘッドの後端部に設けられたワームキーパと、前記ジグヘッドの後端部における前記ワームキーパの下方から延びるオフセットフックと、前記ジグヘッドと前記オフセットフックとを、上下方向に相対的に回動可能に連結する回動連結部と、を有する。【選択図】図１
2019187303.tif 000002
【特許請求の範囲】
【請求項１】
ジグヘッドと、
前記ジグヘッドの先端部に設けられたラインアイと、
前記ジグヘッドの後端部に設けられたワームキーパと、
前記ジグヘッドの後端部における前記ワームキーパの下方から延びるオフセットフックと、
前記ジグヘッドと前記オフセットフックとを、上下方向に相対的に回動可能に連結する回動連結部と、を有するスイムジグ。
【請求項２】
前記回動連結部は、
前記ジグヘッドと前記オフセットフックとの上下方向への相対的な回動を120度の範囲で許容する、請求項１のスイムジグ。
【請求項３】
前記回動連結部は、
前記ジグヘッドの後端部の左右方向中央部に開口するスリットと、
前記スリットの左右の内壁に掛け渡された支軸と、を有し、
前記オフセットフックの基端部が前記支軸に回動可能に連結され、
前記ジグヘッドと前記オフセットフックとの左右方向への相対的な可動域が前記スリットの左右の内壁により制限される、請求項１又は２に記載のスイムジグ。
【請求項４】
前記ジグヘッドと前記オフセットフックとが、前記オフセットフックの針先を前記ラインアイに向けた状態で上下方向に相対的に回動する、請求項１乃至３のいずれか１に記載のスイムジグ。
【請求項５】
前記ワームキーパは、
形状記憶ワイヤ素材からなる螺旋状のワーム保持部を有する、請求項１乃至４のいずれかに記載のスイムジグ。
【発明の詳細な説明】
【技術分野】
【０００１】
本発明は、オフセットフックタイプのスイムジグに関するものである。
【背景技術】
【０００２】
オフセットフックタイプのスイムジグは、オープンフックタイプのスイムジグと比較してカバー攻略がし易いため、ウィードなどカバーを好む魚種のフィッシングに適している。
【先行技術文献】
【特許文献】
【０００３】
【特許文献１】特開２０１３−２４３９８３号公報
【発明の概要】
【発明が解決しようとする課題】
【０００４】
しかし、オフセットタイプのスイムジグは、針先をワームで隠すことが可能であるため、カバー攻略がし易い反面、フッキング率が良くないという問題があった。
【０００５】
そこで、本発明は、フッキング率を向上させたオフセットタイプのスイムジグを提供する。
【課題を解決するための手段】
【０００６】
本発明の一実施形態におけるスイムジグは、
ジグヘッドと、
前記ジグヘッドの先端部に設けられたラインアイと、
前記ジグヘッドの後端部に設けられたワームキーパと、
前記ジグヘッドの後端部における前記ワームキーパの下方から延びるオフセットフックと、
前記ジグヘッドと前記オフセットフックとを、上下方向に相対的に回動可能に連結する回動連結部と、を有するスイムジグ。
【０００７】
前記回動連結部は、
前記ジグヘッドと前記オフセットフックとの上下方向への相対的な回動を120度の範囲で許容することが好ましい。
【０００８】
前記回動連結部は、
前記ジグヘッドの後端部の左右方向中央部に開口するスリットと、
前記スリットの左右の内壁に掛け渡された支軸と、を有し、
前記オフセットフックの基端部が前記支軸に回動可能に連結され、
前記ジグヘッドと前記オフセットフックとの左右方向への相対的な可動域が前記スリットの左右の内壁により制限されることが好ましい。
【０００９】
前記ジグヘッドと前記オフセットフックとが、前記オフセットフックの針先を前記ラインアイに向けた状態で上下方向に相対的に回動することが好ましい。
【００１０】
前記ワームキーパは、
形状記憶ワイヤ素材からなる螺旋状のワーム保持部を有することが好ましい
【発明の効果】
【００１１】
本発明によれば、ジグヘッドとオフセットフックとを、上下方向に相対的に回動可能に連結したことにより、オフセットタイプのスイムジグのフッキング率を向上させることができる。
【図面の簡単な説明】
【００１２】
【図１】一実施形態に係るスイムジグの側面図である。
【図２】図１に示すスイムジグの正面図である。
【図３】（Ａ）図１に示すスイムジグの底面図である。（Ｂ）図３のＡ部の拡大図である。
【図４】図１に示すスイムジグにラバースカートを装着した状態の側面図である。
【発明を実施するための形態】
【００１３】
以下、一実施形態に係るスイムジグを図面に基づいて説明する。図中には、前、後、左、右、上及び下の各向きが、それぞれ矢印Ｆｒ、Ｒｒ、Ｌ、Ｒ、Ｕ及びＤで示されている。
【００１４】
図１乃至図４に示すように、一実施形態に係るスイムジグ１は、ジグヘッド１０と、ラインアイ２０と、ワームキーパ３０と、オフセットフック４０と、回動連結部５０と、を有する。
【００１５】
ジグヘッド１０は、魚の頭部を模して作られている。ジグヘッド１０は、シンカー（錘）として機能する。
【００１６】
ラインアイ２０は、ジグヘッド１０の先端部（この例では、魚の口を模した部分の上部）に設けられた環状部である。ラインアイ２０に、釣用ラインの先端部が連結される。
【００１７】
ワームキーパ３０は、ジグヘッド１０の後端部に設けられている。ワームキーパ３０は、高い復元力のある形状記憶ワイヤ素材からなる螺旋状のワーム保持部３１を有する。
【００１８】
ワームキーパ３０には、図４に示すように、シリコーンゴム製のラバースカート６０が保持される。ラバースカート６０は、その基部６１をワーム保持部３１に連結することにより、ジグヘッド１０に保持される。
【００１９】
オフセットフック４０は、ジグヘッド１０の後端部１０ｒにおけるワームキーパ３０の下方から後方に延びている。オフセットフック４０は、ジグヘッド１０の後端部１０ｒから後方に向かうに連れて下方に円弧状に湾曲し、後端部分が前方に円弧状に曲げ返され、その先端部に返し４１ａの付いた針先４１が設けられている。針先４１の略延長線上にラインアイ２０が存在する。オフセットフック４０の基端部には、ジグヘッド１０に連結するための環状部４２が設けられている（図３Ｂ参照）。
【００２０】
回動連結部５０は、ジグヘッド１０の後端部の左右方向中央部に開口するスリット５１と、スリット５１の左右の内壁に掛け渡された支軸５２と、を有し、支軸５２に、オフセットフック４０の環状部４２が環装され回動可能に連結されている（図３Ｂ参照）。
【００２１】
回動連結部５０は、ジグヘッド１０とオフセットフック４０との上下方向への相対的な回動を１２０度の範囲で許容する。一方、ジグヘッド１０とオフセットフック４０との左右方向への相対的な可動域は、スリット５１の左右の内壁により制限される。ここで、上下方向とは、スイムジグ１が図１乃至図４に例示する姿勢にあるとした場合における、図１中の矢印Ｆｒ、Ｒｒ、Ｕ及びＤを含む面内の方向を意味し、重力方向とは異なる概念である。また、左右方向とは、スイムジグ１が図１乃至図４に例示する姿勢にあるとした場合における、図２中の矢印Ｒ、Ｌ、Ｕ及びＤを含む面内の方向を意味し、重力方向に対して直交する方向とは異なる概念である。
【００２２】
上記のように構成されたスイムジグ１によれば、オフセットフック４０を使用したことにより、オープンフックタイプのスイムジグでは狙いきれなかったカバーをストレス無く攻略することが可能となる。ウィードに対するスリ抜け性能が向上するため、一段奥のウィードレンジをトレースすることが可能になる。これにより、初心者でも扱い安いスナッグレス性能が実現され、ウィードタッチによるレンジキープを容易にしてバイトを誘発し得る。そして、ジグヘッド１０とオフセットフック４０とを、上下方向に相対的に回動可能に連結したことにより、従来のオフセットタイプのスイムジグと比較して、フッキング率を向上させることができる。
【００２３】
また、このスイムジグ１によれば、ジグヘッド１０に対するオフセットフック４０の上下方向への可動域が１２０度まで許容されるので、フッキング率をより向上させることができる。これに対し、当該可動域が１２０度を越えて大きくなり過ぎると、ウィードに対するスリ抜け性能などが低下する虞がある。
【００２４】
更に、このスイムジグ１は、ジグヘッド１０とオフセットフック４０との左右方向への相対的な可動域を制限したことにより、ジグヘッド１０に対するオフセットフック４０の左右方向への傾きを抑制し得る。これにより、スイムジグ１は、オフセットフック４０の針先４１を常にラインアイ２０に向けた状態で、ジグヘッド１０に対しオフセットフック４０を１２０度の範囲で上下方向に回動させることができるので、抜群のフッキング性能を発揮する。
【００２５】
また、このスイムジグ１は、形状記憶ワイヤ素材からなる螺旋状のワーム保持部３１を有するので、フッキング時にワーム保持部３１が曲がることで、ジグヘッド１０とオフセットフック４０との間に十分なクリアランスを生させ得る。これにより、フルキャストやスキッピングキャストにおいてもラバースカート６０のずれや外れが生じない、極めて高いワーム保持性能が実現される。
【００２６】
なお、本発明は、上記実施形態に限定されるものではなく、適宜、変形、改良、等が可能である。例えば、上記実施形態では、ジグヘッド１０が魚の頭部を模して作られているが、ジグヘッド１０の形状は球形、流線型などその他の形状でもよい。
【００２７】
また、上記実施形態のスイムジグ１は、螺旋状のワーム保持部３１を有しているが、ワーム保持部３１の形状は螺旋状に限らず、例えば、フック形状であってもよい。
【００２８】
また、上記実施形態のスイムジグ１には、シリコーンゴム製のラバースカート６０が装着されているが、シリコーンゴム以外の素材からなるラバースカート６０が装着されてもよい。また、ラバースカート６０以外のワームを装着してもよい。
【符号の説明】
【００２９】
１  スイムジグ
１０  ジグヘッド
２０  ラインアイ
３０  ワームキーパ
３１  ワーム保持部
４０  オフセットフック
４１  針先
５０  回動連結部
【図１】
2019187303.tif 000003
【図２】
2019187303.tif 000004
【図３】
2019187303.tif 000005
【図４】
2019187303.tif 000006